(57)【要約】【課題】表面にべたつきがあるケーブルの引っ掛かりを軽減し、操作性や収納性を向上させることが可能な高滑性ケーブルを提供する。【解決手段】ゴム系材料からなるジャケットを最外層に有するケーブル１０１と、ケーブル１０１の周囲に被覆された伸縮性網状部材１０２と、を備えている高滑性ケーブル１００である。伸縮性網状部材１０２は、シリコーンゴム弾性繊維、ウレタンゴム弾性繊維、又はナイロン弾性繊維からなることが好ましい。伸縮性網状部材１０２は、伸長状態でケーブルの周囲に被覆されていることが好ましい。【選択図】図１
2016152086.tif 000002
【特許請求の範囲】
【請求項１】
ゴム系材料からなるジャケットを最外層に有するケーブルと、
前記ケーブルの周囲に被覆された伸縮性網状部材と、
を備えていることを特徴とする高滑性ケーブル。
【請求項２】
前記伸縮性網状部材は、シリコーンゴム弾性繊維、ウレタンゴム弾性繊維、又はナイロン弾性繊維からなる請求項１に記載の高滑性ケーブル。
【請求項３】
前記伸縮性網状部材は、伸長状態で前記ケーブルの周囲に被覆されている請求項１又は２に記載の高滑性ケーブル。
【発明の詳細な説明】
【技術分野】
【０００１】
本発明は、医療用ケーブル等として使用される高滑性ケーブルに関する。
【背景技術】
【０００２】
例えば、超音波診断装置の本体と探触子とを接続するプローブケーブルや外科手術等で使用される内視鏡ケーブルに代表される医療用ケーブルにおいては、シリコーンゴムからなるジャケットが採用されている。
【０００３】
シリコーンゴムは生体適合性材料であることから、シリコーンゴムからなるジャケットを採用することにより、外科用途や婦人科用途等にも好適に適用可能な医療用ケーブルを実現することができる。
【０００４】
また、シリコーンゴムは撥水撥油性や防汚性が高いため、シリコーンゴムからなるジャケットを採用することにより、ジャケットに血液やその他の汚れが付着しても容易に拭き取り除去することができる。
【０００５】
更に、シリコーンゴムは、アルコールやその他の消毒液に対する耐薬品性や耐熱性が高く、またプラズマ滅菌やオートクレーブ滅菌等の滅菌処理を施しても劣化が殆ど無いことから、消毒や滅菌処理を頻繁に行う医療用途に最適である。
【先行技術文献】
【特許文献】
【０００６】
【特許文献１】特開平１０−１１６５２０号公報
【発明の概要】
【発明が解決しようとする課題】
【０００７】
しかしながら、シリコーンゴムは表面にべたつきがあるため、シリコーンゴムからなるジャケットが採用されている医療用ケーブルは、使用時や収納時の取り回しの際に引っ掛かりが強く絡み易いため、操作性や収納性が悪いという課題を抱えている。
【０００８】
そこで、本発明の目的は、表面にべたつきがあるケーブルの引っ掛かりを軽減し、操作性や収納性を向上させることが可能な高滑性ケーブルを提供することにある。
【課題を解決するための手段】
【０００９】
この目的を達成するために創案された本発明は、ゴム系材料からなるジャケットを最外層に有するケーブルと、前記ケーブルの周囲に被覆された伸縮性網状部材と、を備えている高滑性ケーブルである。
【００１０】
前記伸縮性網状部材は、シリコーンゴム弾性繊維、ウレタンゴム弾性繊維、又はナイロン弾性繊維からなることが好ましい。
【００１１】
前記伸縮性網状部材は、伸長状態で前記ケーブルの周囲に被覆されていることが好ましい。
【発明の効果】
【００１２】
本発明によれば、表面にべたつきがあるケーブルの引っ掛かりを軽減し、操作性や収納性を向上させることが可能な高滑性ケーブルを提供することができる。
【図面の簡単な説明】
【００１３】
【図１】本発明に係る高滑性ケーブルを示す斜視図である。
【発明を実施するための形態】
【００１４】
以下、本発明の好適な実施の形態を添付図面に順って説明する。
【００１５】
図１に示すように、本発明の好適な実施の形態に係る高滑性ケーブル１００は、ゴム系材料からなるジャケットを最外層に有するケーブル１０１と、ケーブル１０１の周囲に被覆された伸縮性網状部材１０２と、を備えている。
【００１６】
ケーブル１０１は、表面にべたつきがある材料、即ち、シリコーンゴムやウレタンゴム等のゴム系材料からなるジャケット１０３が採用されている医療用ケーブル等からなり、単独では、使用時や収納時の取り回しの際に引っ掛かりが強く絡み易いため、操作性や収納性が悪いものとなっている。
【００１７】
例えば、ケーブル１０１は、複数本の素線１０４が撚り合わされてなる内部導体１０５と、内部導体１０５の周囲に設けられた絶縁体１０６と、絶縁体１０６の周囲に複数本の素線１０４が巻き付けられてなる外部導体１０７と、外部導体１０７の周囲に設けられたジャケット１０３と、を備えている。
【００１８】
伸縮性網状部材１０２は、シリコーンゴム弾性繊維、ウレタンゴム弾性繊維、又はナイロン弾性繊維等の伸縮性が高い弾性繊維からなることが好ましい。これにより、ケーブル１０１の周囲に伸縮性網状部材１０２が被覆されても、ケーブル１０１の持つ可撓性や柔軟性が損なわれ難くなる。ここで、ウレタンゴム弾性繊維の具体例としては、旭化成せんい株式会社製のロイカ（登録商標）や東レ・オペロンテックス株式会社製のライクラ（登録商標）等が挙げられる。
【００１９】
また、伸縮性網状部材１０２は、伸長状態でケーブル１０１の周囲に被覆されている事が好ましい。これにより、ケーブル１０１の周囲に伸縮性網状部材１０２を被覆したときに、伸縮性網状部材１０２が収縮しようとする力でケーブル１０１の周囲に確実に固定されるため、ケーブル１０１の表面で伸縮性網状部材１０２が滑る等して高滑性ケーブル１００の表面に皺等が形成されることを抑制することができる。
【００２０】
なお、長期に亘る使用等で伸縮性網状部材１０２が劣化した場合には、古い伸縮性網状部材１０２を剥き取った後、新しい伸縮性網状部材１０２を改めて被覆することにより、高滑性ケーブル１００の滑性を回復させることができる。
【００２１】
また、ケーブル１０１に滑性を付与する観点から言えば、伸縮性網状部材１０２における網目の大きさは、高滑性ケーブル１００に他のケーブルや人の手等が触れたときに、これらと高滑性ケーブル１００との接触面積が出来る限り小さくなるように設計することが望ましい。
【００２２】
これまで説明してきたように、本実施の形態に係る高滑性ケーブル１００によれば、ケーブル１０１の周囲に伸縮性網状部材１０２が被覆されているため、高滑性ケーブル１００の表面に微細な凹凸が形成されることになり、ケーブル１０１を単独で使用する場合と比較して他のケーブルや人の手等との接触面積を減少させることができ、結果として、ケーブル１０１に滑性を付与することが可能となる。
【００２３】
よって、ケーブル１０１において表面にべたつきがあるゴム系材料からなるジャケットが採用されていたとしても、その表面を伸縮性網状部材１０２で覆うことにより、ケーブル１０１の使用時や収納時における取り回しの際の引っ掛かりを低減し、ケーブル１０１の操作性や収納性を改善することができる。
【００２４】
なお、本発明は、前述の実施の形態に限定されるものでは無く、本発明の主旨を変更しない範囲で種々の変更を加えることが可能である。
【００２５】
例えば、伸縮性網状部材１０２は、ケーブル１０１の全体では無く、ケーブル１０１の操作者が触れる部分のみに設けられていても構わない。
【符号の説明】
【００２６】
１００  高滑性ケーブル
１０１  ケーブル
１０２  伸縮性網状部材
１０３  ジャケット
１０４  素線
１０５  内部導体
１０６  絶縁体
１０７  外部導体
【図１】
2016152086.tif 000003